(57)【要約】  【課題】  コンパクトに収納することができるとともに収納状態のまま使用状態に移行させることができる電気掃除機を提供する。  【解決手段】  吸込口体５０と、この吸込口体５０に接続される延長管４０と、この延長管４０に連通される手元操作体３０と、集塵室とこの集塵室に塵埃を集塵させるための負圧を作用させる電動送風機とを有する掃除機本体とを備えた電気掃除機であって、延長管４０を手元操作体３０の一端側に回動可能に接続し、掃除機本体２１の下部に走行用の車輪２６を設け、その掃除機本体２１の上部に上方に延びるとともに集塵室に連通する接続管２２を設け、この接続管２２の上端を手元操作体３０の他端側に回動可能に接続してその接続管２２を手元操作体３０を介して延長管４０に連通させた。【選択図】  図６
2006326093.tif 000002
【特許請求の範囲】
【請求項１】
吸込口体と、この吸込口体に接続される延長管と、この延長管に連通される手元操作体と、集塵部とこの集塵部に塵埃を集塵させるための負圧を作用させる電動送風機とを有する掃除機本体とを備えた電気掃除機であって、
前記延長管を手元操作体の一端側に回動可能に接続し、
前記掃除機本体の下部に走行用の車輪を設け、
その掃除機本体の上部に上方に延びるとともに前記集塵部に連通する接続管を設け、
この接続管の上端を前記手元操作体の他端側に回動可能に接続してその接続管を前記手元操作体を介して前記延長管に連通させたことを特徴とする電気掃除機。
【請求項２】
前記掃除機本体に転倒防止用の補助輪を設けたことを特徴とする請求項１に記載の電気掃除機。
【請求項３】
吸込口体と、この吸込口体に接続される延長管と、この延長管に連通する手元操作体と、集塵部とこの集塵部に塵埃を集塵させるための負圧を作用させる電動送風機とを有する掃除機本体とを備えた電気掃除機であって、
前記延長管を手元操作体の一端側に回動可能に接続し、
前記掃除機本体の下部に走行用の車輪を設け、
その掃除機本体の上部に上方に延びた接続管を設け、
この接続管の上端を前記手元操作体の他端に着脱可能に回動可能に接続し、
前記接続管内に集塵ホースを引き出し可能に収納するとともに、その集塵ホースの一端を前記掃除機本体に接続し、その集塵ホースの他端を前記手元操作体に接続して、この手元操作体と前記集塵部とをその集塵ホースを介して連通させたことを特徴とする電気掃除機。
【発明の詳細な説明】
【技術分野】
【０００１】
この発明は、集塵部とこの集塵部に塵埃を集塵させるための負圧を作用させる電動送風機とを有する掃除機本体を備えた電気掃除機に関する。
【背景技術】
【０００２】
従来から、キャニスタタイプの電気掃除機とアップライト式の電気掃除機とが知られている。
【０００３】
キャニスタタイプの電気掃除機は、集塵室とこの集塵室を負圧にする電動送風機を有する掃除機本体と、この掃除機本体に一端が接続されるとともに集塵室に連通する集塵ホースと、この集塵ホースの他端に接続される手元操作管と、この手元操作管に接続される延長管と、この延長管の先端に接続される吸込口体とを備えている（特許文献１参照）。
【０００４】
係る電気掃除機は、図１３に示すように、収納時には集塵ホース１を接続した掃除機本体２の後部を下にして立て、吸込口体３を接続した延長管４の係止部（図示せず）を掃除機本体２の底部の係合部（図示せず）に係合させることにより延長管４を立てかけて収納することができるようになっている。
【０００５】
アップライト式の電気掃除機は、図１４に示すように、吸込口体１０の後部に取り付けたハンドル１１に掃除機本体１２を取り付け、掃除機本体１２に集塵容器１３を装着し、掃除機本体１２に電動送風機（図示せず）を設けている（特許文献２参照）。
【０００６】
このアップライト式の電気掃除機は図１４に示す状態で収納したりする。
【特許文献１】特開平９−１７３２５８号公報
【特許文献２】特開２００４−２３００３１号公報
【発明の開示】
【発明が解決しようとする課題】
【０００７】
ところで、キャニスタタイプの電気掃除機は、吸込口体３を前後に移動させて掃除を行うので、掃除機本体２の重さが吸込口体２に加わることがなく、このため大型の電動送風機を使用することができ、高出力で塵埃を吸引することが可能となる。
【０００８】
しかし、収納の際には、図１３に示すように集塵ホース１が邪魔となる。また、この収納した状態から掃除機を使用するには、延長管４を掃除機本体２から外し、立っている掃除機本体２を横に倒さなければならなかった。
【０００９】
また、アップライト式の電気掃除機にあっては、収納状態は長い集塵ホースなどがないことによりコンパクトに収まり、収納状態からそのまま使用状態に移行させることができる。
【００１０】
しかし、掃除機本体１２がハンドル１１に取り付けられていることにより、吸込口体１０を前後に移動させるとき、その掃除機本体１２の重さが吸込口体１０に加わる。このため、大型の電動送風機を搭載すると使用勝手の悪いものとなる。
【００１１】
この発明の目的は、コンパクトに収納することができるとともに収納状態のまま使用状態に移行させることができ、しかも掃除機本体の重さが吸込口体に加わることのない電気掃除機を提供することにある。
【課題を解決するための手段】
【００１２】
上記目的を達成するため、請求項１の発明は、吸込口体と、この吸込口体に接続される延長管と、この延長管に連通される手元操作体と、集塵部とこの集塵部に塵埃を集塵させるための負圧を作用させる電動送風機とを有する掃除機本体とを備えた電気掃除機であって、
前記延長管を手元操作体の一端側に回動可能に接続し、
前記掃除機本体の下部に走行用の車輪を設け、
その掃除機本体の上部に上方に延びるとともに前記集塵部に連通する接続管を設け、
この接続管の上端を前記手元操作体の他端側に回動可能に接続してその接続管を前記手元操作体を介して前記延長管に連通させたことを特徴とする。
【発明の効果】
【００１３】
この発明によれば、電気掃除機をコンパクトに収納することができるとともに収納状態のまま使用状態に移行させることができ、しかも掃除機本体の重さが吸込口体に加わることのないので、大型の電動送風機を搭載しても使用勝手がよいものとなる。
【発明を実施するための最良の形態】
【００１４】
以下、この発明に係る電気掃除機の実施形態である実施例を図面に基づいて説明する。
【実施例】
【００１５】
［第１実施例］
図１および図２に示す電気掃除機２０は、掃除機本体２１と、この掃除機本体２１の上部に設けた接続管２２と、他端側にこの接続管２２を着脱自在に接続した手元操作体（手元操作管）３０と、この手元操作体３０の一端側に着脱自在に接続された延長管４０と、この延長管４０の先端部に着脱自在に接続された吸込口体５０とを備えている。
【００１６】
掃除機本体２１は、上部に形成した集塵室（集塵部）２３と、この集塵室２３を負圧にする電動送風機２４と、集塵室２３に着脱自在に装着された集塵フィルタ（紙パックフィルタ）２５と、電源コードを巻回したコードリール（図示せず）等とを有している。電動送風機２４およびコードリールは集塵室２３の下に配置されている。そして、接続管２２と集塵室２３とが連通しており、接続管２２は手元操作体３０を介して延長管４０に連通されている。
【００１７】
掃除機本体２１の下部の両側部には走行用の車輪２６が取り付けられており、図示の状態で前後方向に移動できるようになっている。
【００１８】
また、掃除機本体２１の前面の下部には、図３に示すように一対の補助輪６０,６０が取り付けられている。
【００１９】
この補助輪６０は、アーム６１と、このアーム６１の一端に形成されるとともにアーム６１と直交する方向に延びた軸部６２と、アーム６１の他端に回転自在に設けられた一対の補助車輪６３とを有している。
【００２０】
また、掃除機本体２１の前面の下部には互いに所定間隔を隔てて一対の凹部２１Ａが形成され、この凹部２１Ａの両側面には軸受部２１ａ（図３において片方のみ図示）と係止孔２１ｂ（図３において片方のみ図示）とが形成されている。
【００２１】
各凹部２１Ａには断面がコ字状のカバー７０が取り付けられており、このカバー７０の両側壁部７１の下部に円弧状の凹部７２が形成され、この凹部７２と上記の軸受部２１ａとによって補助輪６０の軸部６２が回動自在に保持されている。また、カバー７０の両側壁部７１には下方（図３において）に延びた支持部７３（図３において片方のみ図示）が形成され、この支持部７３の下部に外方に突出した係止爪７３Ａ（図３において片方のみ図示）が設けられており、この係止爪７３が掃除機本体２１の凹部２１Ａの係止孔２１ｂに係合され、この係合によりカバー７０が掃除機本体２１の凹部２１Ａに取り付けられている。
【００２２】
また、カバー７０の上壁部７４（図３において）によって、補助輪６０のアーム６１が軸部６２を中心にして所定角度以上回動しないように規制するようになっている。
【００２３】
手元操作体３０は、図４および図５に示すように、操作管部３１と、この操作管部３１の先端側（図４において左側：一端側）に回動自在に取り付けられた第１接合管３２と、操作管部３１の後部側（他端側）に回動自在に取り付けられた第２接合管３３と、操作管部３１に形成された把手部３４等とを有している。把手部３４には図示しない操作スイッチが設けられている。
【００２４】
操作管部３１は、２分割された一対の半割ケース１３１Ａ,１３１Ｂから形成されている。
【００２５】
操作管部３１の底壁部３１Ａには左右に穴３１ａ,３１ｂが形成され、この穴３１ａ,３１ｂの縁部には環状シール部材３５,３６が装着されている。環状シール部材３５,３６は環状のリップシール部３５Ａ,３６Ａを有している。
【００２６】
また、半割ケース１３１Ａの側壁部３１Ｂの内側には左右方向に沿って４つの軸Ｊ１〜Ｊ４が形成されている。また、半割ケース１３１Ｂの側壁部３１Ｃの内側には軸Ｊ１,Ｊ４に対向した位置に軸Ｋ１,Ｋ４が形成されている。
【００２７】
第１接合管３２の上部には、上方に延びた相対向した一対の突出壁部３２Ｔａ,３２Ｔｂが形成され、突出壁部３２ＴａにはギアＧ１が固定され、突出壁部３２Ｔｂには軸孔Ｈ１が形成されている。
【００２８】
第２接合管３３の上部には上方に延びた相対向した一対の突出壁部３３Ｔａ,３３Ｔｂが形成され、突出壁部３３ＴａにはギアＧ４が固定され、突出壁部３３Ｔｂには軸孔Ｈ２が形成されている。
【００２９】
そして、第１接合管３２の上部が環状シール部材３５内に挿入されているとともに、ギアＧ１のギア孔Ｇ１ａに操作管部３１の側壁部３１Ｂの軸Ｊ１が回動自在に挿入され、第１接合管３２の突出壁部３２Ｔｂの軸孔Ｈ１に操作管部３１の側壁部３１Ｃの軸Ｋ１が回動自在に挿入されており、第１接合管３２が軸Ｊ１,Ｋ１を中心にして前後方向（図４において左右方向）に回動自在となっている。また、環状シール部材３５のリップシール部３５Ａが第１接合管３２の上部に密着または固着されており、第１接合管３２の回動に拘わらず操作管部３１内の気密性が保たれるようになっている。
【００３０】
また、第２接合管３３の上部が環状シール部材３６内に挿入されているとともに、ギアＧ４のギア孔Ｇ４ａに半割ケース１３１Ａの側壁部３１Ｂの軸Ｊ４が回動自在に挿入され、第２接合管３３の突出壁部３３Ｔｂの軸孔Ｈ２に半割ケース１３１Ｂの側壁部３１Ｃの軸Ｋ４が回動自在に挿入されており、第２接合管３３が軸Ｊ２,Ｋ４を中心にして前後方向（図４において左右方向）に回動自在となっている。また、環状シール部材３６のリップシール部３６Ａが第２接合管３３の上部に密着または固着されており、第２接合管３３の回動に拘わらず操作管部３１内の気密性が保たれるようになっている。
【００３１】
半割ケース１３１Ａの側壁部３１Ｂの軸Ｊ２,Ｊ３にはギアＧ２,Ｇ３が回動自在に装着されており、各ギアＧ１〜Ｇ４が隣同士それぞれ噛合しており、第１,第２接合管３２,３３が互いに反対方向へ同一角度だけ回動するようになっている。
［動  作］
次に、上記のように構成される電気掃除機の動作について説明する。
【００３２】
先ず、手元操作体３０の把手部３４の操作スイッチ（図示せず）を操作して電動送風機２４を駆動させる。この駆動により集塵室２３が負圧となり、この負圧が接続管２２,第２接合管３３,手元操作体３０の操作管部３１,第１接合管３２および延長管４０を介して吸込口体５０の吸込室（図示せず）に作用し、この吸込口体５０の吸込室の底面の吸込開口から被清掃面上の塵埃及び空気が吸い込まれ、延長管４０,第１接合管３２,手元操作体３０の操作管部３１,第２接合管３３および接続管２２を介して掃除機本体２１の集塵室２３へ吸い込まれていく。
【００３３】
集塵室２３へ吸い込まれた塵埃は集塵室２３内に装着された集塵フィルタ２５に捕集され、空気は電動送風機２４に吸い込まれた後に掃除機本体２１の図示しない排気孔から排気されていく。
【００３４】
吸込口体５０を前進させるには、手元操作体３０の把手部３４を操作して手元操作体３０の前側を少し上げるようにして、手元操作体３０を前方へ移動させると、第２接合管３３は手元操作体３０に対して反時計回りに回動し、この回動によりギアＧ４〜Ｇ１によって第１接合管３２が時計回りに回動していく。
【００３５】
すなわち、第１,第２接合管３２,３３に接続されている延長管４０と接続管２２とがハの字状に開くことになる。そして、把手部３４を操作して手元操作体３０を下方に押し下げるように前方へ移動させていけば、図６に示すように、さらに延長管４０と接続管２２とがハの字状に開き、吸込口体５０が前方へ移動していく。
【００３６】
接続管２２は、図６に示すように掃除機本体２１とともに傾いていき、この掃除機本体２１の傾きとともに、補助輪６０のアーム６１が軸部７２を中心にして掃除機本体２１の前面から離れるように補助車輪６３の自重により回動する。そして、掃除機本体２１が被清掃面に対して所定角度傾くと、補助輪６０のアーム６１がカバー７０の上壁部７４に当たり、掃除機本体２１が所定角度以上傾かないようになっている。この補助輪６０により掃除機本体２１の転倒が防止される。
【００３７】
前進した吸込口体５０を後退させるには、手元操作体３０の把手部３４を操作して手元操作体３０を後方（手元側）へ移動させる。この手元操作体３０の後方への移動により、上記と逆に第２接合管３３が手元操作体３０に対して時計回りに回動し、この回動によりギアＧ４〜Ｇ１によって第１接合管３２が時計回りに回動していく。
【００３８】
すなわち、第１,第２接合管３２,３３に接続されている延長管４０と接続管２２とが図６に示す状態から図１に示す状態へ移動し、吸込口体５０は後方へ移動されることになる。
【００３９】
このように、手元操作体３０を前後に移動させることにより、吸込口体５０は前後に移動して被清掃面上の塵埃を吸引していくことになる。
【００４０】
この吸込口体５０の前後の移動の際に、掃除機本体２１の重さが吸込口体５０に加わることがないので、大型の電動送風機２４を搭載しても吸込口体５０の使用勝手はよいものとなる。
【００４１】
電気掃除機２０の収納は、図１に示した状態のまま移動させて、押入などの所定の収納場所へそのまま置けばよい。この状態では、延長管４０と接続管２２とがギアＧ１〜Ｇ４を介して互いに逆方向に回動するようになっていることにより、掃除機本体２１および延長管４０は左右方向に転倒してしまうことがなく、安定している。また、ホースがないことにより、従来のようにホースが邪魔になることなくコンパクトに収納することができることになる。
【００４２】
また、電気掃除機２０を使用する場合には、図１の状態のまま移動させて、そのまま手元操作体３０を前後に移動させればよい。すなわち、収納状態のまま使用状態に移行させることができる。
［第２実施例］
図７は第２実施例の電気掃除機１２０を示したものである。この電気掃除機１２０は、接続管１２２内に集塵ホース１２１を収納し、集塵ホース１２１の下端部（一端）１２１Ａが図８に示すように掃除機本体２１の接続口Ｓａに接続され、集塵ホース１２１と集塵室２３とが連通されている。
【００４３】
また、集塵ホース１２１の上端部（他端）１２１Ｂが第２接合管２００の風路管２０１に接続されている。
【００４４】
第２接合管２００は、図９に示すように、風路管２０１と接合ケース２０２とを有している。風路管２０１の上部にはギアＧ４（図８参照）が固定され、また、風路管２０１の上部には図９に示すように軸孔Ｈ２が形成され、ギアＧ４のギア孔Ｇ４ａに軸Ｊ４（図５参照）が挿入され、軸孔Ｈ２に軸Ｋ４が挿入されて、風路管２０１は軸Ｊ４,Ｋ４を中心にして回動自在となっている。
【００４５】
そして、集塵ホース１２１は風路管２０１を介して操作管部３１に連通している。
【００４６】
接合ケース２０２は、風路管２０１に接続した集塵ホース１２１の上端部１２１Ｂを覆う大径のケース部２０２Ａと、接続管１２２に接合される小径の接合部２０２Ｂとを有している。
【００４７】
通常の掃除を行う場合には、集塵ホース１２１を接続管１２２内に収納するとともに接合ケース２０２の接合部２０２Ｂを接続管１２２に接合して、第１実施例と同様にして使用し、収納する。
【００４８】
高い箇所を掃除する場合には、図１０に示すように手元操作体３０の第１接合管３２から延長管４０を外し、この第１接合管３２に丸ブラシ２５０を接続する。そして、接合ケース２０２の接合部２０２Ｂを接続管１２２から外し、集塵ホース１２１を接続管１２２から引き出して、手元操作体３０を操作して丸ブラシ２５０により高い箇所の掃除を行う。
［第３実施例］
図１１および図１２は第３実施例を示したものである。図１１および図１２において、１４０は手元操作体３０（図１参照）の第１接合管３２に接続された延長管であり、この延長管１４０の先端部にブラシホルダ１４１が設けられている。このブラシホルダ１４１には、毛ブラシ１４２と延長管１４０に連通した図示しない接続パイプとが設けられており、この接続パイプには吸込口体１５０の回転管１５１が接続されるようになっている。
【００４９】
回転管１５１は、吸込口体１５０に対して前方へ所定角度回動されると（床面に対してほぼ直角になると）、図示しないロック手段のロックが解除されてブラシホルダ１４１の接続パイプを回転管１５１から外せるようになっている。また、ブラシホルダ１４１の接続パイプを回転管１５１に接続して、回転管１５１を後方へ傾動させると、接続パイプに回転管１５１がロック手段により固定されるようになっている。
【００５０】
この第３実施例によれば、吸込口体１５０に手を添えずに吸込口体１５０から延長管１４０を外すことができ、この延長管１４０の先端に設けたブラシホルダ１４１の毛ブラシ１４２によって掃除が行える。また、延長管１４０に吸込口体１５０を手を添えずに接続することができる。
【図面の簡単な説明】
【００５１】
【図１】この発明に係る電機掃除機の外観を示した側面図である。
【図２】図１に示す電気掃除機を主要部分別に分解した説明図である。
【図３】掃除機本体の前側を示した斜視図である。
【図４】手元操作体の構成を示した断面図である。
【図５】手元操作体の構成を示した分解斜視図である。
【図６】電気掃除機の使用状態を示した説明図である。
【図７】第２実施例の電気掃除機を示した説明図である。
【図８】第２実施例の電気掃除機の接続管と、第２接合管の構成を示した部分断面図である。
【図９】第２実施例の手元操作体の構成を示した断面図である。
【図１０】第２実施例の他の使用例を示した説明図である。
【図１１】第３実施例の吸込口体を示した斜視図である。
【図１２】吸込口体から延長管を外した状態を示した斜視図である。
【図１３】従来の電気掃除機の収納状態を示した説明図である。
【図１４】従来のアップライト式の電気掃除機を示した説明図である。
【符号の説明】
【００５２】
２１          掃除機本体
２２          接続管
２６          車輪
３０          手元操作体
４０          延長管
５０          吸込口体
【図１】
2006326093.tif 000003
【図２】
2006326093.tif 000004
【図３】
2006326093.tif 000005
【図４】
2006326093.tif 000006
【図５】
2006326093.tif 000007
【図６】
2006326093.tif 000008
【図７】
2006326093.tif 000009
【図８】
2006326093.tif 000010
【図９】
2006326093.tif 000011
【図１０】
2006326093.tif 000012
【図１１】
2006326093.tif 000013
【図１２】
2006326093.tif 000014
【図１３】
2006326093.tif 000015
【図１４】
2006326093.tif 000016